(57)【特許請求の範囲】
【請求項１】
胴部を押圧することで内容液を吐出させるスクイズ容器の口首部に取り付けて用いられる、開口閉塞部の先端部に複数の吐出孔を備えるスクイズ容器用キャップであって、
前記複数の吐出孔は、前記開口閉塞部の直径方向に列状に配置されており、
前記開口閉塞部は、前記口首部よりも小さな中空断面積で、内容液の吐出方向に突出して設けられた吐出ノズル部を具備しており、前記複数の吐出孔が列状に配置される前記開口閉塞部の直径方向に沿った部分の面が、前記吐出ノズル部の帯状先端面によって形成されていると共に、該帯状先端面は、吐出方向に向けて凸に湾曲する湾曲凸面となっており、
前記複数の吐出孔は、開口周縁部に、内容液を吐出する方向に突出する突出筒部が設けられていると共に、当該吐出孔から線状に連続吐出される内容液の前記口首部の中心軸に対する吐出傾斜角度が、前記開口閉塞部の直径方向の中心側に配置された吐出孔に比べて、外側に配置された吐出孔の方が大きくなっていて、内容液の前記開口閉塞部の直径方向における吐出幅が、吐出方向に向けて広がるように配置されているスクイズ容器用キャップ。
【請求項２】
前記複数の吐出孔は、該吐出孔の中心軸の前記口首部の中心軸に対する傾斜角度が、前記開口閉塞部の直径方向の中心側に位置する吐出孔に比べて、外側に位置する吐出孔の方が、大きくなるように形成されている請求項１に記載のスクイズ容器用キャップ。
【請求項３】
前記複数の吐出孔の少なくとも１つの吐出孔は、吐出方向先端の前記口首部の中心軸方向の高さが、前記開口閉塞部の直径方向の外側端部に比べて、中心側端部の方が高く形成されている請求項１又は２に記載のスクイズ容器用キャップ。
【請求項４】
前記複数の吐出孔は、前記吐出方向先端の前記口首部の中心軸方向の高さにおいて、各々の吐出孔における前記開口閉塞部の直径方向の外側端部と中心側端部との高さの差が、前記開口閉塞部の直径方向の中心側に位置する吐出孔よりも、外側に位置する吐出孔の方が大きく形成されている請求項３記載のスクイズ容器用キャップ。
【請求項５】
前記複数の吐出孔は、前記突出筒部の突出高さに比べて、隣接する吐出孔までの長さが長くなるように配置されている請求項１〜４のいずれか１項記載のスクイズ容器用キャップ。
【請求項６】
前記突出筒部の突出高さを含む吐出孔の孔軸方向の長さは、該吐出孔の吐出方向先端の孔径に比べて長くなっている請求項１〜５のいずれか１項記載のスクイズ容器用キャップ。
【請求項７】
前記複数の吐出孔が列状に配置される前記開口閉塞部の直径方向に沿った部分の面を覆って、着脱可能に取り付けられるオーバーキャップを備えており、該オーバーキャップの内面が前記複数の吐出孔の開口周縁部又は前記突出筒部に密着することで、前記複数の吐出孔を封止している請求項１〜６のいずれか１項記載のスクイズ容器用キャップ。
【請求項８】
先端部に複数の吐出孔を備え、胴部を押圧することで内容液を吐出させるスクイズ容器であって、
前記複数の吐出孔は、前記先端部の直径方向に列状に配置されており、
前記先端部は、内容液の吐出方向に突出して設けられた、オーバーキャップが装着される円筒状基部よりも小さな中空断面積を備える吐出ノズル部を具備しており、前記複数の吐出孔が列状に配置される前記先端部の直径方向に沿った部分の面が、前記吐出ノズル部の帯状先端面によって形成されていると共に、該帯状先端面は、吐出方向に向けて凸に湾曲する湾曲凸面となっており、
前記複数の吐出孔は、開口周縁部に、内容液を吐出する方向に突出する突出筒部が設けられていると共に、当該吐出孔から線状に連続吐出される内容液の前記円筒状基部の中心軸に対する吐出傾斜角度が、前記先端部の直径方向の中心側に配置された吐出孔に比べて、外側に配置された吐出孔の方が大きくなっていて、内容液の前記先端部の直径方向における吐出幅が、吐出方向に向けて広がるように配置されているスクイズ容器。
【発明の詳細な説明】
【技術分野】
【０００１】
本発明は、スクイズ容器用キャップに関し、特に、胴部を押圧することで内容液を吐出させるスクイズ容器の口首部に取り付けて用いられるスクイズ容器用キャップに関する。
【背景技術】
【０００２】
胴部を押圧することで内容液を吐出させる容器として、スクイズ容器が一般的に知られている。スクイズ容器は、内容液が収容された、例えば可撓性を有する合成樹脂製のボトル形状の容器本体を傾倒させると共に、容器本体の口首部に取り付けられたキャップの先端の吐出孔を吐出箇所に向けた状態で、容器本体の胴部を押圧することにより、内部の圧力を高めて、内容液を先端吐出口から線状に連続吐出させることが可能である。
【０００３】
また、スクイズ容器に取り付けられるキャップとして、容器本体の口首部の先端開口を覆う閉塞部に、複数の吐出孔を設けることで吐出箇所への吐出領域を広げて、より広い面積の吐出箇所に対しても内容液を効率良く吐出できるようにしたキャップも開発されている（例えば、特許文献１参照）
【先行技術文献】
【特許文献】
【０００４】
【特許文献１】特開２００５−１７８８８９号公報
【発明の概要】
【発明が解決しようとする課題】
【０００５】
しかしながら、従来の口首部の先端開口を覆う閉塞部に、複数の吐出孔を設けることで、吐出箇所への吐出領域が広がるようにしたスクイズ容器用のキャップによれば、内容液の粘度や押し圧によっては、各々の吐出孔から線状に連続吐出される内容液が重なり合うことなどにより、内容液が狙い通りには広がらず、スクイズ容器を押圧しながら往復させる動作やスクイズ容器を移動させるストローク長が増えることで、広い面積の吐出箇所に対して内容液を効率良く吐出させることが困難になる。また、吐出箇所への吐出領域が広がるようにした従来のスクイズ容器用のキャップによれば、狭い部分を狙ってポイント的に内容液を吐出させることは困難である。
【０００６】
本発明は、広い面積の吐出箇所に対して内容液を効率良く吐出させることができ、また狭い部分を狙って内容液を吐出させることもできるスクイズ容器用キャップを提供することを目的とする。
【課題を解決するための手段】
【０００７】
本発明は、胴部を押圧することで内容液を吐出させるスクイズ容器の口首部に取り付けて用いられる、開口閉塞部の先端部に複数の吐出孔を備えるスクイズ容器用キャップであって、前記複数の吐出孔は、前記開口閉塞部の直径方向に列状に配置されており、前記開口閉塞部は、内容液の吐出方向に突出して設けられた吐出ノズル部を具備しており、前記複数の吐出孔が列状に配置される前記開口閉塞部の直径方向に沿った部分の面が、前記吐出ノズル部の帯状先端面によって形成されており、前記複数の吐出孔は、当該吐出孔から線状に連続吐出される内容液の前記口首部の中心軸に対する吐出傾斜角度が、前記開口閉塞部の直径方向の中心側に配置された吐出孔に比べて、外側に配置された吐出孔の方が大きくなっていて、内容液の前記開口閉塞部の直径方向における吐出幅が、吐出方向に向けて広がるように配置されているスクイズ容器用キャップを提供することにより、上記目的を達成したものである。
【発明の効果】
【０００８】
本発明のスクイズ容器用キャップによれば、広い面に対して内容液を効率良く吐出させることができ、また狭い部分を狙って内容液を吐出させることもできる。
【図面の簡単な説明】
【０００９】
【図１】本発明の好ましい一実施形態に係るスクイズ容器用キャップが取り付けられたスクイズ容器をオーバーキャップと共に示す斜視図である。
【図２】本発明の好ましい一実施形態に係るスクイズ容器用キャップが取り付けられたスクイズ容器から内容液を吐出させた状態を説明する平面図である。
【図３】本発明の好ましい一実施形態に係るスクイズ容器用キャップの、スクイズ容器に取り付けられた状態の斜視図である。
【図４】本発明の好ましい一実施形態に係るスクイズ容器用キャップの、スクイズ容器に取り付けられた状態の（ａ）は側面図、（ｂ）は正面図である。
【図５】図４（ａ）のＡ−Ａに沿った断面図である。
【図６】本発明の好ましい一実施形態に係るスクイズ容器用キャップが取り付けられたスクイズ容器の使用状態を例示する斜視図である。
【図７】本発明の好ましい他の実施形態に係るスクイズ容器用キャップの斜視図である。
【図８】は図７のＢ−Ｂに沿った断面図である。
【図９】スクイズ容器用キャップの他の形態を例示する、（ａ）は斜視図、（ｂ）は（ａ）のＣ−Ｃに沿った断面図である。
【図１０】スクイズ容器用キャップの他の形態を例示する、（ａ）は斜視図、（ｂ）は（ａ）のＤ−Ｄに沿った断面図である。
【図１１】スクイズ容器用キャップの他の形態を例示する斜視図である。
【図１２】スクイズ容器用キャップの他の形態を例示する斜視図である。
【図１３】スクイズ容器用キャップの他の形態を例示する、（ａ）は斜視図、（ｂ）は正面図、（ｃ）背面図、（ｄ）は左側面図、（ｅ）は右側面図、（ｆ）は平面図、（ｇ）は底面図、（ｈ）は（ｅ）のＥ−Ｅに沿った断面図である。
【発明を実施するための形態】
【００１０】
本発明の好ましい一実施形態に係るスクイズ容器用キャップ１０は、図１に示すように、内容液として、例えば浴室清掃用の液体洗剤を収容したスクイズ容器２０の口首部２１（図５参照）に、好ましくは着脱可能に一体として取り付けて用いられる。スクイズ容器２０は、合成樹脂製のボトル形状の容器となっており、胴部２２が弾性変形可能な可撓性を備えている。スクイズ容器２０は、例えば胴部２２を把持して傾倒させた状態で、胴部２２を挟み込むようにして押圧することでスクイズ変形させながら、内部に圧力を加えることによって、スクイズ容器用キャップ１０の開口閉塞部１１の先端部１１ａに設けられた複数の吐出孔１２から、被吐出箇所に向けて内容液を吐出できるようになっている。本実施形態のスクイズ容器用キャップ１０は、開口閉塞部１１の先端部１１ａに複数の吐出孔１２を備えていることで、後述するように、広い面積の吐出箇所に対して内容液を効率良く吐出できるようにする機能を備えると共に、狭い部分を狙って内容液をポイント的に吐出できるようにする機能をも備えている。
【００１１】
そして、本実施形態のスクイズ容器用キャップ１０は、胴部２２を押圧することで内容液を吐出させるスクイズ容器２０の口首部２１に取り付けて用いられる、開口閉塞部１１の先端部１１ａに複数の吐出孔１２を備えるスクイズ容器用のキャップである。なお、開口閉塞部１１は、スクイズ容器２０の口首部２１の上端開口２１ａを覆って配置される部分である。複数の吐出孔１２は、開口閉塞部１１の直径方向Ｘに列状に配置されており、且つ、複数の吐出孔１２は、図２に示すように、当該吐出孔１２から線状に連続吐出される内容液の口首部２１の中心軸Ｙに対する吐出傾斜角度θが、開口閉塞部１２の直径方向Ｘの中心側に配置された吐出孔１２に比べて、外側に配置された吐出孔１２の方が大きくなっていて、内容液の開口閉塞部１２の直径方向Ｘにおける吐出幅Ｂが、吐出方向Ｚに向けて広がるように配置されている。吐出傾斜角度θ及び吐出幅Ｂは、スクイズ容器用キャップ１０が取り付けられたスクイズ容器２０を、複数の吐出孔１２を水平方向に列状に配置させた状態で、スクイズ容器用キャップ１０側をやや下方に向けて内容液を吐出させて観察する。要するに、図２は、吐出傾斜角度θ及び吐出幅Ｂを上方から観察する平面図である。なお、吐出幅Ｂは、複数の吐出孔１２から連続吐出される内容液の全体の幅であり、直径方向Ｘにおいて最も外側に配置される吐出孔１２から吐出される内容液が形成する幅である。吐出幅Ｂが、吐出方向Ｚに向けて広がるように配置されているとは、図２に示すように、吐出孔１２に近い吐出幅Ｂよりも、吐出孔１２に遠い吐出幅Ｂの方が、幅が広くなっていることを意味する。
【００１２】
また、本実施形態では、複数の吐出孔１２が列状に配置される開口閉塞部１１の直径方向Ｘに沿った部分の面１３が、吐出方向Ｚに向けて凸に湾曲する湾曲凸面１３ａとなっている。なお、詳細には、複数の吐出孔１２が列状に配置される開口閉塞部１１の直径方向Ｘに沿った部分の面１３は、開口閉塞部１１の先端部１１ａに設けられている。
【００１３】
さらに、本実施形態では、開口閉塞部１１は、内容液の吐出方向Ｚに突出して設けられた吐出ノズル部１４を具備しており、複数の吐出孔１２が列状に配置される開口閉塞部１１の直径方向Ｘに沿った部分の面１３が、吐出ノズル部１４の帯状先端面１４ａによって形成されている。
【００１４】
本実施形態では、スクイズ容器２０は、例えば高分子化合物等の合成樹脂からなるボトル形状を有するブロー成形品であって、図１及び図２に示すように、胴部２２が弾性変形可能な可撓性を備えていることで、押圧変形（スクイズ変形）可能な容器となっている。また、スクイズ容器２０は、押圧後にその弾性変形性により、元の形状に復元することが好ましい。スクイズ容器２０は、胴部２２と、口首部２１と、底部２３とからなり、底部２３を載置面に載置することで、立設させた状態で店頭に陳列したり、家庭内で保管したりすることができるようになっている。胴部２２は、上部が滑らかに縮径した、直径が例えば３０〜１００ｍｍ程度の大きさの中空の略円筒形状を有しており、片手で把持して、押圧操作を容易に行うことができるようになっている。胴部２２の縮径した上部から、肩部２４（図５参照）を介して上方に突出して、口首部２１が設けられている。この口首部２１の上端開口２１ａを覆うようにして、スクイズ容器用キャップ１０が着脱可能に取り付けられている。スクイズ容器２０の口首部２１の上端開口２１ａは、直径が例えば１０ｍｍ〜１００ｍｍ程度の大きさとなっていることが好ましく、２０ｍｍ〜７０ｍｍ程度の大きさとなっていることが更に好ましい。なお、胴部２２の形状については特に制限はなく、円形の断面形状を備えているものの他、長円、楕円、長方形等の断面形状を備えていても良い。
【００１５】
スクイズ容器用キャップ１０は、例えば高分子化合物等の合成樹脂からなる射出成形品であって、スクイズ容器２０の口首部２１に取り付けるための装着筒状部１５（図５参照）を備えている。図３〜図５に示すように、装着筒状部１５の外側には、装着カバー部１６が設けられており、装着筒状部１５は、装着カバー部１６の張出しプレート部１６ａから下方に連続して設けられている。また、装着筒状部１５の上方には、装着カバー部１６の張出しプレート部１６ａから上方に連続して設けられた、スクイズ容器２０の口首部２１の上端開口２１ａを閉塞する開口閉塞部１１が形成されている。スクイズ容器用キャップ１０は、開口閉塞部１１と装着筒状部１５と装着カバー部１６とを含んで構成されている。
【００１６】
装着筒状部１５は、スクイズ容器２０の口首部２１の外径と同様の内径を備えており、その内周面に、雌ネジ突条１５ａが設けられている。この雌ネジ突条１５ａを、スクイズ容器２０の口首部２１の外周面に設けられた雄ネジ突条２１ｂに螺合することによって、装着筒状部１５よりも内側領域における、装着カバー部１６の張出しプレート部１６ａの下面のインナーリング１６ｃとの間の部分に、口首部２１の先端を当接させた状態で、スクイズ容器用キャップ１０を、スクイズ容器２０の口首部２１に締着固定できるようになっている（図５参照）。
【００１７】
装着カバー部１６は、開口閉塞部１１の下端部に沿って環状に連続して設けられた張出しプレート部１６ａと、張出しプレート部１６ａの外周縁部から斜め下方に延設して設けられたスカート状カバー部１６ｂとを含んで構成されている。装着カバー部１６は、スクイズ容器用キャップ１０がスクイズ容器２０の口首部２１に装着された際に、口首部２１と胴部２２との段差部となっている肩部２４を覆って配置されることで、スクイズ容器用キャップ１０が取り付けられたスクイズ容器２０の全体の意匠性を向上させている。スカート状カバー部１６ｂの外周面には、好ましくは線状の凹凸を周方向に連続させたローレット加工が施されている。ローレット加工による滑り止め機能によって、スクイズ容器用キャップ１０をスクイズ容器２０に着脱する操作を、さらに容易に行うことが可能になると共に、容器の外観にローレット加工によるアクセントを加えることによって、スクイズ容器２０の全体の意匠性を一層向上させることが可能になる。
【００１８】
開口閉塞部１１は、スクイズ容器２０の口首部２１の上端開口２１ａを覆って配置される部分であって、本実施形態では、円筒状基部１７と、天板部１８と、吐出ノズル部１４とを含んで構成されている。円筒状基部１７は、装着筒状部１５よりも小さな内径及び外径を有しており、装着カバー部１６の張出しプレート部１６ａとの接続基端部分１１ｂから、上方に延設して設けられている。円筒状基部１７の外周面には、雄ネジ突条１７ａが設けられている。この雄ネジ突条１７ａに、後述するオーバーキャップ３０（図１参照）の下部内周面に形成された雌ネジ突条（図示せず）を螺合することによって、オーバーキャップ３０を、これの下端部を装着カバー部１６の張出しプレート部１６ａの上面に当接させた状態で、天板部１８及び絞り部１４を覆うようにして、スクイズ容器用キャップ１０に着脱可能に装着できるようになっている。
【００１９】
天板部１８は、円筒状基部１７の上端部を閉塞して当該円筒状基部１７と連続して設けられた、円形板状の部分である（図３参照）。天板部１８の中央部分には、開口閉塞部１１の直径方向Ｘでもある当該天板部１８の直径方向Ｘに長軸方向を沿わせて、短軸と長軸とを有する扁平な中空断面形状を有する吐出ノズル部１４が、吐出方向Ｚである上方に向けて、好ましくは５ｍｍ以上５０ｍｍ以下、より好ましくは１０ｍｍ以上４０ｍｍ以下の長さで突出して設けられている。また、天板部１８の中央部分には、吐出ノズル部１４の下端部の開口形状と同様の大きさ及び形状の扁平な開口形状を有する天板開口部１８ａが形成されている。
【００２０】
吐出ノズル部１４は、天板開口部１８ａの開口周縁部から連続して上方に立設していることにより、天板開口部１８ａを介して円筒状基部１７の中空内部と連通している（図５参照）。これによって吐出ノズル部１４は、円筒状基部１７及びスクイズ容器２０の口首部２１よりも小さな中空断面積で、内容液の突出方向Ｚに突出して設けられる。開口閉塞部１１に、スクイズ容器２０の口首部２１よりも小さな中空断面積の吐出ノズル部１４が設けられていることにより、吐出孔１２の配置を確認しなくとも内容液の広がる方向がわかりやすくなる視覚的効果が付与され、さらには押し圧を効果的に伝えることができ、内容液を広げて吐出させたり、狭い部分にポイント的に吐出させたりしやすくすることが可能になる。
【００２１】
また、吐出ノズル部１４は、本実施形態では、上方に向けて短軸方向の幅を滑らかに減少させた形状を有している（図４（ａ）参照）。また、先端部１１ａが、長軸方向を天板部１８の直径方向Ｘに沿わせて設けられた帯状先端面１４ａによって閉塞されている（図３参照）。帯状先端面１４ａは、短軸と長軸とを有する扁平な平面形状を有している。帯状先端面１４ａは、上述のように、開口閉塞部１１の先端部１１ａにおける、複数の吐出孔１２が列状に配置される直径方向Ｘに沿った部分の面１３を形成しており、また吐出方向Ｚに向けて凸に湾曲する湾曲凸面１３ａとなっている。本実施形態では、帯状先端面１４ａによる開口閉塞部１１の直径方向Ｘに沿った部分の面１３に、複数の吐出孔１２が、直径方向Ｘの中心側に配置された吐出孔１２に比べて、外側に配置された吐出孔１２の方が、吐出孔１２から線状に連続吐出される内容液の吐出傾斜角度θが大きくなるように（図２参照）、開口閉塞部１１の直径方向Ｘに一列に配置されている（図３参照）。
【００２２】
すなわち、本実施形態では、吐出孔１２は、帯状先端面１３ａにおいて、開口閉塞部１１の直径方向Ｘに一列に５箇所に配置されている。５箇所に配置された吐出孔１２は、図５に示すように、スクイズ容器２０の口首部２１の中心軸Ｙに対する傾斜角度θ’が、直径方向Ｘの中心側に位置する吐出孔１２に比べて、外側に位置する吐出孔１２の方が、大きくなるように形成されている。より具体的には、例えば、中央の１箇所の吐出孔１２は、これの孔軸の方向が、口首部２１の中心軸Ｙと合致するように配置されており、中央の吐出孔１２の両側に隣接して配置された一対の吐出孔１２は、これらの孔軸の方向が、口首部２１の中心軸Ｙに対して、０〜４５°の傾斜角度θ’で傾斜するように形成されており、両側の端部に配置された一対の吐出孔１２は、これらの孔軸の方向が、口首部２１の中心軸Ｙに対して、１〜６０°の傾斜角度θ’で傾斜するように形成されている。また、これらの吐出孔１２は、スクイズ容器の口首部の中心軸Ｙに対する傾斜角度θ’が、直径方向Ｘの中心側に位置する吐出孔１２に比べて、外側に位置する吐出孔１２の方が、好ましくは１〜２０°、更に好ましくは２〜１０°大きくなるように形成されている。これらによって、内容液が他孔と交わることなく、扇状に広がって吐出することが可能になる。
【００２３】
ここで、吐出孔１２の孔軸の方向は、吐出孔１２の中心軸の方向であり、例えば各々の吐出孔１２における、開口閉塞部１１の直径方向Ｘの中心側の内壁面と、外側の内壁面とで、傾斜する角度が相違している場合には、これらの角度を足して２で除した角度の方向である。また、吐出孔１２の孔径は、０．５ｍｍ以上５ｍｍ以下となっていることが好ましく、０．８ｍｍ以上３ｍｍ以下となっていることがより好ましい。吐出ノズル部１４の帯状先端面１４ａによる開口閉塞部１１の直径方向Ｘに沿った部分の面１３には、吐出孔１２が、３個以上２０個以下の数で設けられていることが好ましく、３個以上１０個以下の数で設けられていることがより好ましい。吐出孔１２の断面積は、先端に向かう程、小さくなっていることが好ましい。吐出孔１２の断面積が先端に向かう程小さくなる度合いは、開口閉塞部１１の直径方向Ｘの中心側の吐出孔１２よりも、外側の吐出孔１２の方が大きくなっていても良い。本実施形態では、帯状先端面１３ａに形成された５箇所の吐出孔１２は、同じ大きさの孔となっている。
【００２４】
また、本実施形態では、複数の吐出孔１２の少なくとも１つの吐出孔１２では、吐出方向Ｚの先端の口首部２１の中心軸Ｙの方向の高さについて、開口閉塞部１１の直径方向Ｘの外側端部に比べて中心側端部の方が高く形成されている。より詳細には、図５に示すように、５箇所に配置された吐出孔１２のうち中央の１箇所の吐出孔１２は、孔の吐出方向Ｚの先端はその円周方向において、中心軸Ｙに対して同じ高さを有している。一方、中央の吐出孔１２の両側に隣接して配置された一対の吐出孔１２及び両側の端部に配置された一対の吐出孔１２は、吐出方向Ｚの先端の口首部２１の中心軸Ｙの方向の高さが、開口閉塞部１１の直径方向Ｘの外側端部に比べて中心側端部の方が高く形成されている。また、複数の吐出孔１２は、吐出方向先端の口首部２１の中心軸Ｙ方向の高さにおいて、各々の吐出孔１２における開口閉塞部１１の直径方向の外側端部と中心側端部との高さの差が、開口閉塞部１１の直径方向Ｘの中心側に位置する吐出孔１２よりも、外側に位置する吐出孔１２の方が大きく形成されている。これらによって、各吐出孔１２から吐出する内容液の吐出方向Ｚの制御が向上する。なお、吐出孔１２の吐出方向Ｚの先端は、後述する突出筒部１９が設けられている場合には、突出筒部１９の先端となる。
【００２５】
さらに、本実施形態では、複数の吐出孔１２の各々の開口周縁部には、内容液を吐出する吐出方向Ｚに突出する突出筒部１９が設けられている。突出筒部１９を設けることにより、各吐出孔１２から吐出する内容液の吐出方向Ｚの制御が向上する。また、突出筒部１９を、吐出孔１２の開口周縁部から突出して設けることにより、オーバーキャップ３０の内面を吐出孔１２の開口周縁部に密着させて吐出孔１２を閉塞する際に、オーバーキャップ３０の内面を突出筒部１９の先端に密着させ、密着性を高めて液シール性を向上させることにより、液漏れ防止効果を向上させることが可能になる。
【００２６】
ここで、突出筒部１９の突出高さは、０．３ｍｍ以上１０ｍｍ以下とすることが好ましく、０．５ｍｍ以上５ｍｍ以下とすることがより好ましい。突出筒部１９の先端を通る仮想の面は、帯状先端面１４ａと同様の曲率半径で湾曲する湾曲凸面となっていることが好ましい。また、突出筒部１９の内側において、吐出孔１２の断面積が、先に行くほど徐々に小さくなっていることが好ましい。本実施形態では、帯状先端面１３ａに形成された５箇所の吐出孔１２の開口周縁部に設けられた突出筒部１９は、突出高さが同じになっている。
【００２７】
また、本実施形態では、複数の吐出孔１２は、突出筒部１９の突出高さに比べて、隣接する吐出孔１２までの長さが長くなるように配置されている。隣接する吐出孔１２までの長さは、吐出孔１２の吐出方向Ｚの先端の中心間距離で表される。突出筒部１９の突出高さも含めた各吐出孔１２の孔軸方向の長さは、吐出孔１２の吐出方向Ｚの先端の孔径に比べて長くなっている。このように、吐出孔１２の配置や長さ等を設定することにより、吐出孔１２から吐出する内容液の吐出方向Ｚの制御が一層向上する。
【００２８】
本実施形態では、スクイズ容器用キャップ１０は、当該スクイズ容器用キャップ１０が取り付けられたスクイズ容器２０の非使用時に、天板部１８及び吐出ノズル部１４を覆って装着される、オーバーキャップ３０を備えている。オーバーキャップ３０は、図１に示すように、開口閉塞部１１の吐出ノズル部１４の帯状先端面１４ａの曲率半径と同様の曲率半径で、上端部分３０ａを曲面状に湾曲させて面取りした、中空の略円錐形状を備えている。またオーバーキャップ３０は、開口した底面部の外径が、スクイズ容器用キャップ１０の装着カバー部１６の張出しプレート部１６ａの外径と略同様となっており、下端部内周面に、雌ネジ突条（図示せず）が設けられている。
【００２９】
オーバーキャップ３０は、下端部内周面の雌ネジ突条を、スクイズ容器用キャップ１０の装着筒状部１５の外周面に設けられた雄ネジ突条１７ａに螺合して、スクイズ容器用キャップ１０に装着された際に、外周面が、スクイズ容器用キャップ１０の装着カバー部１６のスカート状カバー部１６ｂの、ローレット加工が施された外周面と連続することになる。これによって、スクイズ容器２０の全体の意匠性を向上させている。また、オーバーキャップ３０の曲面状に湾曲させた上端部分３０ａの内側面は、湾曲凸面１３ａとなっている、スクイズ容器用キャップ１０の吐出ノズル部１４の帯状先端面１４ａの曲率半径と、同様の曲率半径で湾曲している。これによって、オーバーキャップ３０がスクイズ容器用キャップ１０に装着された際に、オーバーキャップ３０の上端部分３０ａの内側面が、スクイズ容器用キャップ１０の吐出ノズル部１４の帯状先端面１３に形成された複数の吐出孔１２の、好ましくは突出筒部１９による開口周縁部と密着することで、これらの吐出孔１２を、同時に閉塞できるようになっている。なお、吐出孔１２を、オーバーキャップ３０によって閉塞する方法としては、オーバーキャップ３０の内側面を、吐出孔１２の開口周縁部又は突出筒部１９に密着させる方法の他、オーバーキャップ３０の内側面に設けたリブや筒体を、吐出孔１２に挿入して閉塞する方法等、その他の方法を採用することもできる。
【００３０】
上述の構成を備えるスクイズ容器用キャップ１０が取り付けられたスクイズ容器２０を用いて、広い面積の吐出箇所として、例えば浴室の壁面に向けて、内容液である液体洗剤を吐出させるには、オーバーキャップ３０を取り外すと共に、スクイズ容器２０の胴部２２を手で把持する。しかる後に、図６に示すように、複数の吐出孔１２が列状に配置された、開口閉塞部１１の直径方向Ｘに沿った部分の面１３である、絞り部１４の帯状先端面１４ａを、水平又は略水平な横方向に向けると共に、スクイズ容器２０を傾倒させた状態で、お風呂の壁面と対向配置させながら胴部２２を押圧する。押圧により胴部２２の内部の圧力が高められることで、複数の吐出孔１２から線状に連続吐出する内容液は、開口閉塞部１２の直径方向Ｘの中心側に配置された吐出孔１２から吐出される内容液に比べて、外側に配置された吐出孔１２から吐出される内容液の方が、口首部２１の中心軸Ｙ（図２参照）に対する吐出傾斜角度θが大きくなっていて、内容液の開口閉塞部１２の直径方向Ｘにおける吐出幅Ｂが、吐出方向Ｚに向けて広がるようになっている。
【００３１】
これによって、本実施形態によれば、帯状先端面１３に設けられた複数の吐出孔１２から吐出される内容液の、開口閉塞部１２の直径方向Ｘである横方向への吐出領域が、広がることになるので、例えば浴室の壁面や床面の全体に内容液を塗布するために、胴部２２を押圧しながらスクイズ容器２０を横方向に移動させるストローク長を小さくしたり、横方向に往復させる動作の回数を少なくしたりすることが可能になって、広い面積の吐出箇所である壁面の全体に対して、内容液を効率良く吐出させることが可能になる。
【００３２】
一方、例えば浴室の壁面の目地部や、壁面の角部等の狭い部分を狙って、ポイント的に内容液である液体洗剤を吐出させる場合には、スクイズ容器２０の周方向の向きを変えて、開口閉塞部１２の直径方向Ｘに延設する吐出ノズル部１４の帯状先端面１４ａを、例えば目地部のラインに沿わせたり、角部に対し角度の２等分線方向に沿わせた状態で、浴室の壁面と対向配置させながら胴部２２を押圧する。複数の吐出孔１２は、開口閉塞部１１の直径方向Ｘに長軸方向を沿わせて延設する帯状先端面１４ａに、列状に配置されているので、押圧により胴部２２の内部の圧力が高められることで、複数の吐出孔１２から線状に連続吐出する内容液は、開口閉塞部１１の直径方向Ｘと垂直な方向には広がらずに、当該直径方向Ｘと垂直な方向での吐出領域の幅を狭いまま保持することになる。これによって、複数の吐出孔１２が列状に配置された帯状先端面１４ａを、例えば目地部のラインに沿わせて移動させたり、角部に対し角度の２等分線方向に沿わせて保持した状態で、内容液を吐出させることで、吐出された内容液による吐出領域の幅が広がらないようにして、例えばお風呂の壁面の目地部や、角部等の狭い部分を狙って、内容液をポイント的に容易に吐出させることが可能になる。
【００３３】
これらによって、本実施形態のスクイズ容器用キャップ１０によれば、スクイズ容器２０の口首部２１に取り付けて用いられて、吐出箇所の広い面に対して内容液を効率良く吐出させることが可能になると共に、狭い部分に絞って内容液を吐出させることも可能になる。
【００３４】
また、本実施形態によれば、複数の吐出孔１２が列状に配置される開口閉塞部１１の直径方向Ｘに沿った部分の面１３が、吐出方向Ｚに向けて凸に湾曲する湾曲凸面１３ａとなっているので、スクイズ容器２０をスクイズした時の圧力を、各々の吐出孔１２に効率良く伝えることができ、これによって内容液を均一に吐出させることが可能になる。
【００３５】
複数の吐出孔１２は、口首部２１の中心軸Ｙに対する傾斜角度θ’が、開口閉塞部１１の直径方向Ｘの中心側に位置する吐出孔１２に比べて、外側に位置する吐出孔１２の方が、大きくなるように形成されているので、吐出される内容液が、適度な広がりを持った吐出状態を形成することが可能になる。
【００３６】
複数の吐出孔１２が列状に配置される開口閉塞部１１の直径方向Ｘに沿った部分の面１３が、口首部２１の中空断面積よりも小さな中空断面積で内容液の吐出方向Ｚに突出して設けられた、吐出ノズル部１４の帯状先端面１４ａによって形成されているので、スクイズ容器２０をスクイズした時の圧力が小さくても、吐出される内容液に広がりを持たせることが可能になる。
【００３７】
複数の吐出孔１２が、開口閉塞部１１の直径方向Ｘに一列に配置されているので、内容液が吐出される場所に応じて、内容液の吐出方向を任意に変更することが可能になる。
【００３８】
図７及び図８は、本発明の好ましい他の実施形態に係るスクイズ容器用キャップ１０’を示すものである。本他の実施形態のスクイズ容器用キャップ１０’は、装着筒状部１５’と、スクイズ容器の口首部の上端開口を閉塞する開口閉塞部１１’とを含んで構成されている。
【００３９】
装着筒状部１５’は、スクイズ容器の口首部の外径と同様の内径を備えており、その内周面に、雌ネジ突条１５ａ’（図８参照）が設けられている。この雌ネジ突条１５ａ’を、スクイズ容器の口首部の外周面に設けられた雄ネジ突条に螺合することによって、スクイズ容器用キャップ１０’を、スクイズ容器の口首部に締着固定できるようになっている。
【００４０】
開口閉塞部１１’は、スクイズ容器の口首部の上端開口を覆って配置される部分であって、本他の実施形態では、装着筒状部１５’の上端部から内側に連続して配置された天面板１６’と、天面板１６’と同心状に配置されて、天面板１６’の中央部分に１段高くなるように設けられた中空台座部１７’と、中空台座部１７’の直径方向Ｘ’に延設して、中空台座部１７’から上方に突出して設けられた吐出ノズル部１４’とを含んで構成されている。本実施形態では、天面板１６’の下面から下方に突出して、スクイズ容器の口首部の上端開口の内側面に沿って密着するインナーリング１６ａ’が、天面板１６’と同心状に配置されて設けられている。
【００４１】
吐出ノズル部１４’は、上記実施形態の吐出ノズル部１４と同様に、短軸と長軸とを有する扁平な平面形状を有しており、その長軸方向を天面板１６’の直径方向Ｘ’に沿わせて設けられている。また吐出ノズル部１４’は、先端部が、短軸と長軸とを有する扁平な平面形状を有する帯状先端面１４ａ’によって閉塞されている。帯状先端面１４ａ’は、開口閉塞部１１’の先端部１１ａ’における、複数の吐出孔１２’が列状に配置される直径方向Ｘ’に沿った部分の面１３’を形成しており、また吐出方向Ｚ’に向けて凸に湾曲する湾曲凸面１３ａ’となっている。本他の実施形態では、帯状先端面１４ａ’による開口閉塞部１１’の直径方向Ｘ’に沿った部分の面１３’に、複数の吐出孔１２’が、直径方向Ｘ’の中心側に配置された吐出孔１２’に比べて、外側に配置された吐出孔１２’の方が、吐出孔１２’から線状に連続吐出される内容液の吐出傾斜角度が大きくなるように、開口閉塞部１１’の直径方向Ｘ’に一列に配置されている。
【００４２】
すなわち、本他の実施形態では、吐出孔１２’は、帯状先端面１４ａ’において、開口閉塞部１１’の直径方向Ｘ’に一列に６箇所に配置されており、６箇所に配置された吐出孔１２’は、図８に示すように、スクイズ容器の口首部の中心軸Ｙ’に対する傾斜角度θ”が、直径方向Ｘ’の中心側に位置する吐出孔１２’に比べて、外側に位置する吐出孔１２’の方が、大きくなるように形成されている。より具体的には、スクイズ容器の口首部の中心軸Ｙ’に対する傾斜角度θ”が、直径方向Ｘ’の中心側に位置する吐出孔１２’に比べて、外側に位置する吐出孔１２’の方が、好ましくは１〜２０°、更に好ましくは２〜１０°大きくなるように形成されている。なお、例えば吐出孔１２’の数がさらに多くなる場合には、スクイズ容器の口首部の中心軸Ｙ’に対する傾斜角度θ”は、直径方向Ｘ’の中心側に位置する吐出孔１２’に比べて、外側に位置する吐出孔１２’の方が、大きくなるように形成されている必要は必ずしも無く、１又は２以上の隣接する吐出孔１２’において、吐出孔１２’が同じ傾斜角度θ”で傾斜していても良い。
【００４３】
また、本他の実施形態では、複数の吐出孔１２’の各々の開口周縁部から突出して、突出筒部１９’が設けられている。
【００４４】
これらによって、本他の実施形態のスクイズ容器用キャップ１０’によれば、上記実施形態のスクイズ容器用キャップ１０と同様の作用効果が奏される。
【００４５】
なお、本発明は上記各実施形態に限定されることなく種々の変更が可能である。例えば、複数の吐出孔が列状に配置される、開口閉塞部の直径方向に沿った部分の面１３は、例えば図９（ａ）に示すように、フラットな面となっていても良い。この場合、例えば図９（ｂ）に示すように、複数の吐出孔１２を、スクイズ容器の口首部の中心軸Ｙに対する傾斜角度θ’が、直径方向の中心側に位置する吐出孔１２に比べて、外側に位置する吐出孔１２の方が、大きくなるように形成することで、直径方向の中心側に配置された吐出孔に比べて、外側に配置された吐出孔の方が、吐出口から線状に連続吐出される内容液の吐出傾斜角度が大きくなるようにすることが可能になって、内容液の吐出幅を、吐出方向に向けて広がるようすることが可能になる。
【００４６】
また、例えば図１０（ａ）に示すように、複数の吐出孔１２の開口周縁部から突出する突出筒部は、設けられていなくても良い。この場合も、例えば図１０（ｂ）に示すように、複数の吐出孔１２を、スクイズ容器の口首部の中心軸Ｙに対する傾斜角度θ’が、直径方向の中心側に位置する吐出孔１２に比べて、外側に位置する吐出孔１２の方が、大きくなるように形成することで、内容液の吐出幅を、吐出方向に向けて広がるようすることが可能になる。
【００４７】
口首部の中空断面積よりも小さな中空断面積で突出して設けられた吐出ノズル部は、例えば図１１に示すように、突出方向に向けて中空断面積を徐々に減少させて行くものであっても良い。開口閉塞部の直径方向に列状に配置された複数の吐出孔は、直線状に１列に配置されている必要は必ずしも無く、図１２に示すように直線上から左右にずれていても良い。複数の吐出孔は、開口閉塞部の直径方向に複数列の列状に設けられていても良い。複数の吐出孔が列状に配置される、開口閉塞部の直径方向に沿った部分の面は、吐出ノズル部の帯状先端面以外の面によって形成されていても良い。図１３（ａ）〜（ｈ）に示すように、吐出ノズル部の帯状先端面に吐出孔が３箇所に設けられた、３孔タイプのスクイズ容器用キャップであっても良い。図８に示すスクイズ容器用キャップ１０’において、スクイズ容器２０との密閉性を保持するために設けられたインナーリングに代えて、パッキン等を用いて密閉性を保持することもできる。
【００４８】
さらに、スクイズ容器用キャップは、スクイズ容器の胴部と一体成形して、スクイズ容器の一部として設けることもできる。また、スクイズ容器の先端部に、上記のように列状に配列された複数の吐出孔を備えた部品を固定することで、スクイズ容器を得てもよい。すなわち、先端部に複数の吐出孔を備え、胴部を押圧することで内容液を吐出させるスクイズ容器であって、前記複数の吐出孔は、前記先端部の直径方向に列状に配置されており、前記先端部は、内容液の吐出方向に突出して設けられた吐出ノズル部を具備しており、前記複数の吐出孔が列状に配置される前記先端部の直径方向に沿った部分の面が、前記吐出ノズル部の帯状先端面によって形成されており、前記複数の吐出孔は、当該吐出孔から線状に連続吐出される内容液の前記口首部の中心軸に対する吐出傾斜角度が、前記先端部の直径方向の中心側に配置された吐出孔に比べて、外側に配置された吐出孔の方が大きくなっていて、内容液の前記先端部の直径方向における吐出幅が、吐出方向に向けて広がるように配置されているスクイズ容器を構成することができる。先端部の直径方向は、前述の開口閉塞部の直径方向と同じ方向であり、スクイズ容器２０の口首部又は胴部の直径方向と同じ方向である。
【００４９】
上述した実施形態に関し、本発明は更に以下の付記（スクイズ容器用キャップ等）を開示する。
＜１＞
胴部を押圧することで内容液を吐出させるスクイズ容器の口首部に取り付けて用いられる、開口閉塞部の先端部に複数の吐出孔を備えるスクイズ容器用キャップであって、
前記複数の吐出孔は、前記開口閉塞部の直径方向に列状に配置されており、
前記開口閉塞部は、内容液の吐出方向に突出して設けられた吐出ノズル部を具備しており、前記複数の吐出孔が列状に配置される前記開口閉塞部の直径方向に沿った部分の面が、前記吐出ノズル部の帯状先端面によって形成されており、
前記複数の吐出孔は、当該吐出孔から線状に連続吐出される内容液の前記口首部の中心軸に対する吐出傾斜角度が、前記開口閉塞部の直径方向の中心側に配置された吐出孔に比べて、外側に配置された吐出孔の方が大きくなっていて、内容液の前記開口閉塞部の直径方向における吐出幅が、吐出方向に向けて広がるように配置されているスクイズ容器用キャップ。
【００５０】
＜２＞
前記複数の吐出孔は、該吐出孔の中心軸の前記口首部の中心軸に対する傾斜角度が、前記開口閉塞部の直径方向の中心側に位置する吐出孔に比べて、外側に位置する吐出孔の方が、大きくなるように形成されている前記＜１＞に記載のスクイズ容器用キャップ。
＜３＞
前記複数の吐出孔の少なくとも１つの吐出孔は、吐出方向先端の前記口首部の中心軸方向の高さが、前記開口閉塞部の直径方向の外側端部に比べて、中心側端部の方が高く形成されている前記＜１＞又は前記＜２＞に記載のスクイズ容器用キャップ。
＜４＞
前記複数の吐出孔は、前記吐出方向先端の口首部の中心軸方向の高さにおいて、各々の吐出孔における前記開口閉塞部の直径方向の外側端部と中心側端部との高さの差が、前記開口閉塞部の直径方向の中心側に位置する吐出孔よりも、外側に位置する吐出孔の方が大きく形成されている前記＜３＞に記載のスクイズ容器用キャップ。
＜５＞
前記複数の吐出孔は、孔軸の方向が前記口首部の中心軸と合致するように配置された中央の１箇所の吐出孔を有しており、該中央の吐出孔の両側に隣接して配置された一対の吐出孔は、これらの孔軸の方向が、前記口首部の中心軸に対して、０〜４５°の傾斜角度で傾斜するように形成されている前記＜１＞〜前記＜４＞のいずれか１に記載のスクイズ容器用キャップ。
【００５１】
＜６＞
前記複数の吐出孔は、前記口首部の中心軸に対する傾斜角度が、直径方向の中心側に位置する吐出孔に比べて、外側に位置する吐出孔の方が、好ましくは１〜２０°、更に好ましくは２〜１０°大きくなるように形成されている前記＜１＞〜前記＜５＞のいずれか１に記載のスクイズ容器用キャップ。
＜７＞
前記複数の吐出孔が列状に配置される前記開口閉塞部の直径方向に沿った部分の面が、吐出方向に向けて凸に湾曲する湾曲凸面となっている前記＜１＞〜前記＜６＞のいずれか１に記載のスクイズ容器用キャップ。
＜８＞
前記吐出ノズル部は、前記口首部の中空断面積よりも小さな中空断面積で、内容液の吐出方向に突出して設けられている前記＜１＞〜前記＜７＞のいずれか１に記載のスクイズ容器用キャップ。
＜９＞
前記吐出ノズル部は、前記開口閉塞部の直径方向に長軸方向を沿わせた、短軸と長軸とを有する扁平な中空断面形状を備えている前記＜１＞〜前記＜８＞のいずれか１に記載のスクイズ容器用キャップ。
＜１０＞
前記吐出ノズル部は、突出方向に向けて中空断面積を徐々に減少させている前記＜１＞〜前記＜９＞のいずれか１に記載のスクイズ容器用キャップ。
【００５２】
＜１１＞
前記複数の吐出孔は、前記開口閉塞部の直径方向に一列に配置されている前記＜１＞〜前記＜１０＞のいずれか１に記載のスクイズ容器用キャップ。
＜１２＞
前記複数の吐出孔は、前記開口閉塞部の直径方向の直線上から左右にずれて設けられているか、或いは前記開口閉塞部の直径方向に複数列の列状に設けられている前記＜１＞〜前記＜１０＞のいずれか１に記載のスクイズ容器用キャップ。
＜１３＞
前記複数の吐出孔の開口周縁部に、内容液を吐出する方向に突出する突出筒部が設けられている前記＜１＞〜前記＜１２＞のいずれか１に記載のスクイズ容器用キャップ。
＜１４＞
前記複数の吐出孔は、前記突出筒部の突出高さに比べて、隣接する吐出孔までの長さが長くなるように配置されている前記＜１３＞に記載のスクイズ容器用キャップ。
＜１５＞
前記突出筒部の突出高さを含む吐出孔の孔軸方向の長さは、該吐出孔の吐出方向先端の孔径に比べて長くなっている前記＜１３＞又は前記＜１４＞に記載のスクイズ容器用キャップ。
【００５３】
＜１６＞
前記突出筒部の突出高さは、好ましくは０．３ｍｍ以上１０ｍｍ以下であり、より好ましくは０．５ｍｍ以上５ｍｍ以下である前記＜１３＞〜前記＜１４＞のいずれか１に記載のスクイズ容器用キャップ。
＜１７＞
前記複数の吐出孔が列状に配置される前記開口閉塞部の直径方向に沿った部分の面を覆って、着脱可能に取り付けられるオーバーキャップを備えており、該オーバーキャップの内面が前記複数の吐出孔の開口周縁部又は前記突出筒部に密着することで、前記複数の吐出孔を封止している前記＜１＞〜前記＜１６＞のいずれか１に記載のスクイズ容器用キャップ。
＜１８＞
前記開口閉塞部の直径方向に沿った部分の面には、前記吐出孔が、３個以上２０個以下の数で設けられている前記＜１＞〜前記＜１８＞のいずれか１に記載のスクイズ容器用キャップ。
＜１９＞
前記吐出孔の孔径は、好ましくは０．５ｍｍ以上５ｍｍ以下であり、より好ましくは０．８ｍｍ以上３ｍｍ以下である前記＜１＞〜前記＜１８＞のいずれか１に記載のスクイズ容器用キャップ。
＜２０＞
前記吐出孔の断面積は、先端に向かう程、小さくなっている前記＜１＞〜前記＜１９＞のいずれか１に記載のスクイズ容器用キャップ。
【００５４】
＜２１＞
前記吐出孔の断面積が先端に向かう程小さくなる度合いは、前記開口閉塞部の直径方向Ｘの中心側の吐出孔よりも、外側の吐出孔の方が大きくなっている前記＜２０＞に記載のスクイズ容器用キャップ。
＜２２＞
前記＜１＞〜前記＜２１＞のいずれか１に記載のスクイズ容器用キャップが口首部に取り付けられている、胴部を押圧することで内容液を吐出させるスクイズ容器。
＜２３＞
前記複数の吐出孔の各々から吐出された内容液が、他孔と交わることなく、扇状に広がって吐出する前記＜２３＞に記載のスクイズ容器。
＜２４＞
先端部に複数の吐出孔を備え、胴部を押圧することで内容液を吐出させるスクイズ容器であっ  て、前記複数の吐出孔は、前記先端部の直径方向に列状に配置されており、
前記先端部は、内容液の吐出方向に突出して設けられた吐出ノズル部を具備しており、前記複数の吐出孔が列状に配置される前記先端部の直径方向に沿った部分の面が、前記吐出ノズル部の帯状先端面によって形成されており、
前記複数の吐出孔は、当該吐出孔から線状に連続吐出される内容液の前記口首部の中心軸に対する吐出傾斜角度が、前記先端部の直径方向の中心側に配置された吐出孔に比べて、外側に配置された吐出孔の方が大きくなっていて、内容液の前記開口閉塞部の直径方向における吐出幅が、吐出方向に向けて広がるように配置されているスクイズ容器。
【符号の説明】
【００５５】
１０，１０’  スクイズ容器用キャップ
１１，１１’  開口閉塞部
１１ａ，１１ａ’  先端部
１１ｂ  接続基端部分
１２，１２’  吐出孔
１３，１３’  吐出孔が列状に配置される開口閉塞部の直径方向に沿った部分の面
１３ａ，１３ａ’  湾曲凸面
１４，１４’  吐出ノズル部
１４ａ，１４ａ’  帯状先端面
１５，１５’  装着筒状部
１６  装着カバー部
１６ａ  張出しプレート部
１６ｂ  スカート状カバー部
１６’  天面板
１７  円筒状基部
１７’ 中空台座部
１８  天板部
１８ａ  天板開口部
１９，１９’  突出筒部
２０  スクイズ容器
２１  口首部
２１ａ  上端開口
２２  胴部
２３  底部
２４  肩部
３０  オーバーキャップ
Ｘ，Ｘ’  開口閉塞部の直径方向
Ｙ，Ｙ’  口首部の中心軸方向
Ｚ，Ｚ’    吐出方向
θ    吐出傾斜角度
θ’，θ”  吐出孔の口首部の中心軸方向に対する傾斜角度
Ｂ    吐出幅
【図１】
0006768363.tif 000002
【図２】
0006768363.tif 000003
【図３】
0006768363.tif 000004
【図４】
0006768363.tif 000005
【図５】
0006768363.tif 000006
【図６】
0006768363.tif 000007
【図７】
0006768363.tif 000008
【図８】
0006768363.tif 000009
【図９】
0006768363.tif 000010
【図１０】
0006768363.tif 000011
【図１１】
0006768363.tif 000012
【図１２】
0006768363.tif 000013
【図１３】
0006768363.tif 000014